(57)【要約】  熱交換器用のコネクタ組立品は、取付部と、取付部が結合する台部とを有する。取付部は、基部と末部を有する細長な本体を有する。基部に横棒が存在し、末部に、本体から離れるように突出する入口と出口が存在する。入口と出口とは逆方向に２つの翼部が本体から延びる。各翼部にロック用突起が形成されている。台部は、取付部の横棒を受ける寸法に形成された溝（groove）がある上部を有する。縦溝（channel）が、前記溝（groove）に直交するように、台部に形成されている。取付部が台部に結合されたときに、翼部の対応する１つをそれぞれ受けるための側壁が、台部から延びている。穴は、翼部の突起にかみ合わせるために、側壁に設けられており、これにより、取付部が台部に結合されるとき、力を加えて翼部を互いに近づくように押し込み突起を穴から外すまで、それは固定されている。取付部を台部に結合する場合、使用者はまず取付部の横棒を台部の前記溝（groove）に位置し、取付部の本体は、台部に対して角度を維持する。横棒が前記溝（groove）に収容されている場合、軸旋回支点が取付部と台部の間に形成され、これにより、取付部の本体を、台部の前記溝（channel）に軸旋回することができる。その際、取付部の入口と出口が、台部の流出ポートと流入ポートにそれぞれ接続する。そして、取付部の翼部における突起が、台部の側壁の穴にかみ合う。点滴ラインと熱交換器が、取付部の基端と末端にそれぞれ接続されている。
2012520729.tif 000002
【特許請求の範囲】
【請求項１】
基部と、末部と、前記基部に設けられた横棒を形成する２本の腕を有する本体と、前記末部から突出している入口及び出口と、前記入口及び前記出口が突出する方向とは逆方向に延びている２つの翼部とを有する取付部と、
前記本体を収容する縦溝（channel）と、前記本体が前記溝（channel）に位置するときに前記横棒が収容される前記溝（channel）と直交する溝（groove）と、前記本体が前記溝（channel）に位置するときに、前記出口と前記入口のそれぞれに接続する流入ポートと流出ポートと有する、前記取付部が結合する台部と、
を構成するネクタ組立品。
【請求項２】
前記取付部が熱交換器に接続され、前記熱交換器が、点滴液と、前記点滴液を温める加熱された循環流体とが流れる管を有する請求項１に記載のコネクタ組立品。
【請求項３】
前記取付部が、前記基部ポートが点滴液を受けるために点滴ラインに接続することに適合した、前記本体の前記基部における基部ポートを含む請求項１に記載のコネクタ組立品。
【請求項４】
前記管は、前記取付部に流入し、かつ、前記管に流れた点滴液が排出される患者側ラインに接続することに適合した、前記管の末端の末端ポートを含む請求項２に記載のコネクタ組立品。
【請求項５】
前記管が、前記点滴液が流れる中間内腔を囲む、加熱された流体のための連続流体経路を形成する、多内腔、中心内腔と前記外側内腔とを含む請求項２に記載のコネクタ組立品。
【請求項６】
前記台部は、前記加熱器において流体が所定温度に加熱される加熱器の１部であり、加熱された流体が前記流出ポートから前記取付部の前記入口へ排出される請求項１に記載のコネクタ組立品。
【請求項７】
前記管の第１内腔に接続する前記入口と、前記管の第２内腔に接続する前記出口を有するように前記取付部が構成され、さらに、前記取付部が、前記点滴液を受け取るとともに、前記管の第３内腔へ前記点滴液を流す流体経路を形成するように適合した基部ポートを有するように構成された請求項２に記載のコネクタ組立品。
【請求項８】
前記翼部の各々が第１ロック機構を有し、前記台部が前記翼部の対応する１つにそれぞれ隣接する２つの側壁を含み、前記側壁の各々が第２ロック機構を有し、これにより、前記取付部の前記本体が前記台部の前記溝（channel）に位置するときに、２つの対応する翼部及び側壁により、前記第１ロック機構と前記第２ロック機構が前記本体を前記台部に保持するように協働する請求項１に記載のコネクタ組立品。
【請求項９】
前記台部における前記第２ロック機構から前記２つの翼部における前記第１ロック機構を外したために、前記２つの翼部が互いに近づくように押さているときに、前記台部から前記取付部が取り外される請求項８に記載のコネクタ組立品。
【請求項１０】
前記本体が前記台部から離れた状態で、前記取付部が、前記横棒を前記溝（groove）に収容されることにより前記台部に結合し、これにより、前記横棒と前記溝（groove）との接触は、前記入口と前記出口が前記流出ポートと前記流入ポートにそれぞれ接続するとともに、前記溝（channel）内の位置へと前記本体を軸旋回移動するように、旋回軸を形成している請求項１に記載のコネクタ組立品。
【請求項１１】
加熱された流体が加圧されているときに、加熱された流体が前記取付部に入り、そして出て循環するために、前記流入ポートと前記流出ポートにそれぞれ結合することで、前記入口と前記出口の各々にバルブガスケットがはめ込まれる請求項１に記載のコネクタ組立品。
【請求項１２】
一体のケーシングは、バルブガスケットを収容するようにそれぞれ構成される２本の通路を有し、前記ケーシングは、前記入口及び前記出口の対応する１つにそれぞれはめ込まれる通路内に、前記バブルガスケットとともに、前記取付部に固定的に保持されるように適合され、前記ケーシングにおける前記入口及び前記出口の前記通路は、前記取付部が前記台部に結合されているときに、前記流入ポートと前記流出ポートにそれぞれ接続し、前記通路内の前記バルブガスケットが、前記取付部が前記台部に結合されていないときに、前記取付部の前記入口と前記出口からの流体漏れを防ぎ、かつ、前記流出ポートへの前記入口と前記流入ポートへの前記出口とを接続することによって、前記取付部と前記台部との間に形成されるそれぞれの通路からの流体漏れを防ぐことをさらに含む請求項１に記載のコネクタ組立品。
【請求項１３】
基部に設けられた横棒と末部から突出する入口及び出口とを有する細長な本体と、前記入口と前記出口が突出する方向とは逆方向に延びる２つの翼部とを有する熱交換器に接続する取付部、並びに、前記本体を収容するための縦溝（channel）と、前記本体が前記溝（channel）内の位置に軸旋回移動して前記横棒が前記溝（groove）に収容される前に、前記横棒が接触する前記溝（channel）と直交する溝（groove）と、前記本体が前記溝（channel）に位置するときに前記流入ポートと前記流出ポートがそれぞれ前記出口と前記入口に接続するために台部に設けられた前記入口及び前記出口とを有する、前記取付部が結合する前記台部と、を含むコネクタ組立品。
【請求項１４】
前記熱交換器が、点滴液と、前記点滴液を温めるために加熱された循環流体とが流れる管を含む請求項１３に記載のコネクタ組立品。
【請求項１５】
前記取付部が、前記取付部に点滴液を受け入れるために、点滴ラインに接続するように適合する、前記本体の前記基部における基部ポートを有し、前記点滴液が前記熱交換器の第１内腔を流れ、前記熱交換器の他の内腔を循環する加熱された流体により前記点滴液が加熱され、前記点滴液が前記熱交換器から患者側ラインに排出される請求項１３に記載のコネクタ組立品。
【請求項１６】
前記台部は、流体が所定温度に加熱される加熱器の１部であり、加熱された流体が、前記熱交換器の循環のために前記流出ポートから前記取付部の前記入口へ排出され、再加熱のために前記出口及び前記流入ポートを介して前記加熱器に戻る請求項１３に記載のコネクタ組立品。
【請求項１７】
前記翼部の各々が第１ロック機構を有し、前記台部が前記翼部の対応する１つにそれぞれ隣接する２つの側壁を含み、前記側壁の各々が第２ロック機構を有し、これにより、前記取付部の前記本体が前記台部の前記溝（channel）に位置するときに、２つの対応する翼部及び側壁により、前記第１ロック機構と前記第２ロック機構が前記本体を前記台部に保持するように協働する請求項１３に記載のコネクタ組立品。
【請求項１８】
加熱された流体が加圧されているときに、加熱された流体が前記取付部に入り、そして出て循環するために、前記流入ポートと前記流出ポートにそれぞれ結合するように、前記入口と前記出口の各々にバルブガスケットがはめ込まれる請求項１３に記載のコネクタ組立品。
【請求項１９】
一体のケーシングは、バルブガスケットを収容するようにそれぞれ構成される２本の通路を有し、前記ケーシングは、前記入口及び前記出口の対応する１つにそれぞれはめ込まれる通路内に、前記バブルガスケットとともに、前記取付部に固定的に保持されるように適合され、前記ケーシングにおける前記入口及び前記出口の前記通路は、前記取付部が前記台部に結合されているときに、前記流入ポートと前記流出ポートにそれぞれ接続し、前記通路内の前記バルブガスケットが、前記取付部が前記台部に結合されていないときに、前記取付部の前記入口と前記出口からの流体漏れを防ぎ、かつ、前記流出ポートへの前記入口と前記流入ポートへの前記出口とを接続することによって、前記取付部と前記台部との間に形成されるそれぞれの通路からの流体漏れを防ぐことをさらに含む請求項１３に記載のコネクタ組立品。
【請求項２０】
取付部が細長な本体を有し、前記本体は、その基部に設けられた横棒を有し、かつ、その末部から突出する入口と出口とを有し、
前記取付部が結合する台部が、前記本体を受ける縦溝（channel）を有し、前記本体が前記溝（channel）内の位置に軸旋回移動して前記横棒が溝（groove）に収容される状態となる前に、前記横棒が接触する前記溝（channel）に直交する前記溝（groove）と、前記本体が前記溝（channel）に位置するときに前記出口と前記入口にそれぞれ接続する流入ポートと流出ポートとを有し、
熱交換器が前記取付部の末端に接続し、前記熱交換器が複数の内腔を有し、その複数のうちの１つの内腔が前記入口に接続し、また、その他の内腔が前記出口に接続し、前記１つの内腔と前記他の内腔が、それらの間に通り抜けられる流体経路を形成するために、末端に流体移動可能に接続され、
前記台部が１部である加熱器、前記加熱器が流体を所定温度に加熱し、加熱された流体が、前記台部の前記流出ポートから前記取付部の前記入口を通って、前記熱交換器へ排出され、前記１つの内腔から前記他の内腔と前記出口に流れ、前記台部の前記流入ポートを介して前記加熱器に戻り、戻った流体が前記加熱器により前記所定温度に加熱される、
装置。
【請求項２１】
前記取付部が、点滴ラインが点滴液を前記取付部に接続される基部ポートを有し、前記取付部が、点滴液が前記熱交換器を通過して流れるために、前記点滴ラインを前記熱交換器内の通り抜けられる内腔に接続するように構成され、点滴液が加熱された流体により加熱された点滴液は、前記通り抜けられる内腔に沿って流れる請求項２０に記載の装置。
【請求項２２】
前記取付部が前記入口と前記出口が突出する方向とは逆方向に延びる２つの翼部を有し、前記翼部の各々が第１ロック機構を有し、前記台部が前記翼部の対応する１つにそれぞれ隣接する２つの側壁を含み、前記側壁の各々が第２ロック機構を有し、これにより、前記取付部の前記本体が前記台部の前記溝（channel）に位置するときに、２つの対応する翼部及び側壁により、前記第１ロック機構と前記第２ロック機構が前記本体を前記台部に保持するように協働する請求項２０に記載の装置。
【請求項２３】
加熱された流体が前記取付部に入り、そして出て循環するために、前記流入ポートと前記流出ポートにそれぞれ結合するように、前記入口と前記出口の各々にバルブガスケットがはめ込まれる請求項２０に記載の装置。
【請求項２４】
一体のケーシングは、バルブガスケットを収容するようにそれぞれ構成される２本の通路を有し、前記ケーシングは、前記入口及び前記出口の対応する１つにそれぞれはめ込まれる通路内に、前記バブルガスケットとともに、前記取付部に固定的に保持されるように適合され、前記ケーシングにおける前記入口及び前記出口の前記通路は、前記取付部が前記台部に結合されているときに、前記流入ポートと前記流出ポートにそれぞれ接続し、前記通路内の前記バルブガスケットが、前記取付部が前記台部に結合されていないときに、前記取付部の前記入口と前記出口からの流体漏れを防ぎ、かつ、前記流出ポートへの前記入口と前記流入ポートへの前記出口とを接続することによって、前記バルブガスケットが前記取付部と前記台部との間に形成されるそれぞれの通路からの流体漏れを防ぐことをさらに含む請求項２０に記載の装置。
【発明の詳細な説明】
【技術分野】
【０００１】
本発明は、熱交換器を流れる点滴液又は生理液を温めるために、加熱器から加熱された流体が熱交換器に送ることができる、熱交換器、特に、熱交換器を加熱器に接続するコネクタ組立品に関する。
【背景技術】
【０００２】
生理液を温める熱交換器は、知られている。熱交換器を加熱器に接続するために使用されるコネクタ組立品のいくつかは、米国特許第４、８７８、５３７号、米国特許第５、０９７、８９８号、米国特許第５、４１７、２７４号、及び米国再発行特許第ＲＥ３９、０７５号（米国特許第４、７５９、７４９号の再発行特許）に開示されており、これらの特許は、いずれも本発明の譲受人に譲渡されている。これらの特許に開示されているように、使用者は、注意深く熱交換器のコネクタ取付部を加熱器の中継流入ポート（the interface input port）と中継流出ポート(the interface output port)にはめ込まなければならない。これは、しばしば、使用者が熱交換器を加熱器台部に注意深く導き、そこから、さらに台部中継部(the mount interface)に導かなければならないことを必要とする。
【発明の概要】
【０００３】
本発明のコネクタ組立品は、より簡単に、かつ、より正確に熱交換器コネクタ取付部を加熱器に接続できることを提供する。
【０００４】
さらに、本発明のコネクタ組立品は、上記米国特許第５、０９７、８９８号に開示されている３重ルーメン（内腔）熱交換器を含む相異なる複数種の熱交換器に使用することができる。参照により、米国特許第５、０９７、８９８号の開示内容は、本出願に組み込まれている。
【０００５】
さらに、本発明のコネクタ組立品は、「多内腔熱交換器」と題された、代理人整理番号０１０７／００５９の同時継続中の出願に開示されている熱交換器にも使用できる。参照により、代理人整理番号０１０７／００５９の同時継続中の出願の内容は、本出願に組み込まれる。
【０００６】
本発明の熱交換器コネクタ組立品は、２つの主要部を有する：点滴ライン、及び点滴ラインを通過した点滴液を加熱する熱交換器とが取り付けられる取付部、並びに、熱交換器を流れる点滴液又は生理液を加熱するために、加熱された流体が加熱器から熱交換器に入るように、取付部に結合される、加熱器の台部。これにより、取付部は、横棒を形成するために、２本の腕が延びている基部を有する細長な本体を有するように構成される。本体の下部には、入口と出口が設けられている。流体が漏れることを防ぐために、ガスケットを入口と出口にはめ込んでもよい。扱いを容易にするため、取付部には、突出する入口と出口から遠ざかる方向に延びている１対の翼部を設けられており、これにより、使用者は、取付部を操作するために、翼部をつかむことができる。取付部の基端に、点滴液が取付部に流入するように、点滴ラインを接続することができる基部ポートが設けられている。取付部の末端に、熱交換器が接続される末端ポートが設けられている。この熱交換器は、前記の米国特許第５、０９７、８９８号に開示されたものでもよいし、あるいは前記の代理人整理番号０１０７／００５９の同時継続中の出願に開示されたものでもよい。熱交換器に対応する内腔に接続される入口と出口を持つように、かつ点滴ラインが熱交換器における点滴内腔に接続されように、取付部は構成される。
【０００７】
本発明のコネクタ組立品の第２主要部は、加熱器の１部を構成する台部である。台部は、その上端に、取付部の横棒を受けるように構成される溝（groove）を有する。前記溝（groove）に直交する中央溝（channel）が、取付部の細長な本体を受けるように、台部に設けられている。流入ポートと流出ポートが、取付部から突き出る出口と入口にそれぞれ接続するように台部に設けられている。２つの側壁が、取付部を囲むように台部から延び、取付部が台部に完全に結合されているときに、各側壁は取付部の対応する翼部に隣接する。台部のベースが、取付部の翼部の下縁を支持し、一方で、前記溝（channel）に入れられる際に、切欠が取付部の細長な本体を通過させる。
【０００８】
取付部を台部に結合する場合、使用者は、台部に対して本体の角度を維持しながら、取付部の横棒を前記溝（channel）に直行する台部の前記溝（groove）に置く、これにより、前記溝（groove）に位置する横棒により、旋回軸が形成される。旋回軸が形成された後、使用者は、細長な本体が台部の前記溝（channel）に位置整合するために、取付部の細長な本体を台部に向かって軸旋回移動する。そのとき、取付部の入口と出口が、台部の流出ポートと流入ポートにそれぞれ接続する。取付部が台部に固定的に結合された状態では、取付部の入口と出口にはめ込まれたガスケットが流体の漏れを防ぐ。加熱器と熱交換器の間を循環する流体が加圧されているときにのみ、例えば流体が加熱器内のポンプにより圧送されているときにのみ開くような独特なバルブガスケットを入口と出口にはめ込んでもよい。その代わりとして、入口と出口が流出ポートと流入ポートにそれぞれ接続するときに、ガスケットを押して開く一体突起部材を流出ポートと流入ポートに設け、これにより、ガスケットを開かせたり、ガスケットを開状態に維持したりするようにしてもよい。
【０００９】
取付部を台部に固定的に保持させるために、ロック機構は、取付部がしっかりと台部に結合されるときに、台部の各側壁に設けられるロック機構と協働するように、各翼部に設けられている。これらのロック機構は、外部から取り外す力が取付部の翼部に加えられなければ、取付部を台部に固定的に保持し続ける。
【００１０】
取付部を台部から取り外す場合、使用者は、取付部を台部から外すために、翼部をつかんで、互いに近づくように翼部を押す。上記とは逆の態様で、取付部の台部からの取り外しが行われ、すなわち、使用者は、旋回軸として働く台部のその前記溝（groove）に位置する取付部の横棒とともに、取付部の細長な本体を台部から離れる方向に軸旋回させる。
【００１１】
熱交換器コネクタ組立品の取付部の製造プロセスを容易にするために、取付部と同じＰＶＣ材で作られている、カートリッジ形状のケーシングは、バルブガスケットを取付部の入口と出口に個々に溶剤接合することを不要にするために、取付部の入口と出口にかぶせられる。ケーシングは２つの穴又は通路を持つように作られており、一方の穴又は通路が入口のためのものであり、他方が出口のためのものである。バルブガスケットは通路内に組み入れられ、このような組み入れられたケーシングは、取付部の対応する入口と出口に組み付けられたバブルガスケットの通路のそれぞれとともに、取付部にはめられており、これによって、取付部の入口と出口についてのシーリングを得る。取付部に組み付けた後、例えば、超音波接合又は溶剤接合により、ケーシングが取付部に接合され、これにより、ケーシングは取付部に固定的に保持され、事実上、取付部の１部とみなし得る。したがって、入口と出口のバルブガスケットは、ケージングにより、入口と出口に固定的に保持され、これにより、取付部が台部から取り外されたときに、バルブガスケットは取付部の入口と出口にくっついたままである、これによって、入口と出口が台部の流出ポートと流入ポートにそれぞれ接続している間、両方にシーリングを得る、そして、取付部が取り外された後、バルブガスケットのフラップは、取付部からの流体の漏れを防ぐために、それらの当初の位置に戻る。
【００１２】
したがって、本発明は、基部に設けられた横棒を形成する２本の腕とともに、基部及び末部を有する本体と、末部から突出する入口及び出口と、入口と出口が突出する方向とは逆方向に延びる２つの翼部とを有する取付部、並びに、取付部の本体を受けるように構成される縦溝（channel）と、本体が前記溝（channel）に位置するときに取付部の横棒が支持され、前記溝（channel）に直交する溝（groove）と、取付部の本体が前記溝（channel）に位置するときに、取付部の出口と入口のそれぞれに接続する流入ポートと流出ポートを有し、取付部が結合する台部とを含むコネクタ組立品に関連する。
【００１３】
また、本発明は、入口と出口が突出する方向とは逆方向に延びる２つの翼部とともに、細長な本体を有する熱交換器と、その基部に設けられた横棒と、末部から突出する入口及び出口とを接続する取付部、並びに、取付部の本体を受けるように構成される縦溝（channel）と、前記溝（channel）に直交する溝（groove）と、横棒が前記溝（groove）に支持される状態で前記溝（channel）内の位置に軸旋回移動する前に横棒が接触しており、本体が前記溝（channel）に位置するときに取付部の出口及び入口のそれぞれに接続する流入ポートと流出ポートとを有し、取付部が結合する台部で構成するコネクタ組立品にも関連する。
【００１４】
さらに、本発明は、次の構成の装置にも関連する。この装置は、取付部と、台部と、熱交換器と、加熱器とを含む。取付部は細長な本体を有する。本体は、その基部に設けられた横棒を有する。さらに、本体は、その末部から延びる入口と出口とを有する。取付部は、台部に結合する。台部は、溝（channel）と、溝（groove）と、流入ポートと、流出ポートとを有する。前記溝（channel）は、取付部の本体を受けるように構成される。前記溝（groove）は、前記溝（channel）に直交する。取付部の本体が前記溝（channel）内の位置に軸旋回移動して横棒が前記溝（groove）に支持される状態となる前に、横棒は前記溝（groove）に接触する。取付部の本体が前記溝（channel）に位置する時に、流入ポートと流出ポートがそれぞれ出口と入口に接続する。熱交換器は、取付部の末端に接続する。熱交換器は複数の内腔を有し、複数の内腔のうちの一つの内腔が取付部の入口に接続し、また他の内腔が取付部の出口に接続する。前記一つの内腔と前記他の内腔が末端において流体移動可能に接続され、それらの間に通り抜けられる流体経路が形成される。台部は加熱器の一部であり、加熱器は流体を所定温度に加熱する。加熱された流体が台部の流出ポートから取付部の入口へ排出され、そして熱交換器へ排出される。加熱された流体は、前記一つの内腔から前記他の内腔に流れ、台部の流入ポートを介して加熱器に戻り、戻った流体が加熱器により前記所定温度に再加熱される。
【図面の簡単な説明】
【００１５】
添付の図面と連係した本発明の以下の説明により、本発明が明らかとなり、また本発明が最も良く理解される。
【００１６】
図１は、本発明のコネクタ組立品の分解図である。
【００１７】
図２は、ダックビル型のゴム製円錐状ガスケットがはめ込まれた入口と出口を示す、コネクタ組立品の取付部の透視図である。
【００１８】
図３は、個々の多フラップ型のゴム製円錐状ガスケットがはめ込まれた入口と出口を示す、図１におけるコネクタ組立品の取付部の透視図である。
【００１９】
図４Ａは、取付部が台部から取り外されている、本発明のコネクタ組立品の他の実施形態を示す。
【００２０】
図４Ｂは、取付部が台部に結合されている、本発明のコネクタ組立品の第２の実施形態を示す。
【００２１】
図５Ａは、多フラップ型の円錐状ガスケットがはめ込まれた取付部の入口と出口を示す拡大図である。
【００２２】
図５Ｂは、円錐状ガスケットのバルブの動作を示す。
【００２３】
図６は、取付部が台部に結合される前の台部に対する取付部の位置を示す部分断面図である。
【００２４】
図７Ａは、台部に結合された取付部の部分断面図である。
【００２５】
図７Ｂは、台部における流出ポート（又は流入ポート）への取付部入口（又は出口）の接続を示す拡大部分断面図である。
【００２６】
図８は、本発明のカートリッジケーシングと、カートリッジケーシングの穴又は通路に組み入れられるバブルガスケットとを示す透視図である。
【００２７】
図９は、バルブガスケット組み入れられたケーシングを示す。
【００２８】
図１０は、取付部の入口及び出口に位置整合するように組立てられたケーシングと、本発明の取付部を示す。
【００２９】
図１１は、シーリング用バルブガスケットが取付部の入口及び出口に固定されるように、図９のケーシングを組み付けられている本発明の取付部を示す。
【発明を実施するための形態】
【００３０】
図１を参照すると、本発明の熱交換器コネクタ組立品には、取付部２と、取付部２が結合するようになっている台部４を含んでいることが示されている。また、点滴ライン６と、多内腔管８の形状の熱交換器とが示されている。
【００３１】
取付部２は、熱交換器へ出たり入ったりと流体の循環を可能にするので、取付部２を還流コネクタと称することができる、また、図２及び図３には、基部１２と末部１４とを有する細長な本体１０を含んでいることが示されている。本体１０の基部１２から互いに反対方向に延びているものは、取付部２の基部において横棒を一緒に形成する、２本の腕１６ａと腕１６ｂである。
【００３２】
図２及び図３を参照すると、入口１８と出口２０が、取付部の本体１０から突出している。入口及び出口を台部に接続した際に漏れを防ぐために、後で詳述するが、図１に符号２２で示されるように、一体ゴム又はシリコーンガスケットを取付部の入口及び出口をはめ入れてもよい。それに代わって、図２に示されるガスケット２４と２６のようにダックビル型バルブ、図３に示されるガスケット２８と３０のように多フラップ型バルブ、又は図８に示されるガスケット７４と７６のように単スリットバルブを有してもよい個々用の円錐状ゴム又はシリコーンガスケットに、入口及び出口のそれぞれをはめ入れてもよい。ガスケット２４において、ダックビル型バルブは入口に向かって内側に向いており、そのため、圧力を受けて流体が入口に供給されるとき、又は流体を入口に供給する部分の突出部材によりバルブフラップが押されて開く場合、そのバルブは開く。他の場合は、漏れを防ぐために、ガスケット２４は閉じたままである。一方、出口２０にはめられているガスケット２６において、ダックビル型バルブは出口とは逆側に向いており、これにより、出口を経て流体が取付部から出る場合にのみ、そのバルブは開く。他の場合は、流体の取付部の入口と同様に、そのバルブは、漏れを防ぐために、閉じたままである。ガスケットは、例えば、サントプレーンを含む医療等級のエラストマー又はシリコーン材から、作られてもよい。
【００３３】
図３は、取付部の入口と出口にはめることができる多フラップ型ゴムガスケットを示す。ガスケット２８と３０のバルブは、複数のフラップ２８ａと３０ａの各々を有し、各バルブにおいては、圧力を受けた流体の流れによりフラップが所定の方向に強制的に開く場合を除き、入口又は出口の開口に対して実質的に平面状態を維持し、閉位置にあり続ける。また、入口と出口が結合する台部４が、入口と出口にそれぞれ接続する一体のカニューレ（cannulas）を有する場合に、フラップは強制的に開かれてもよい。
【００３４】
さらに、取付部２は、取付部２の本体１０から入口１８と出口２０が突出する方向とは逆の方向を向いている、１対の翼部３２ａと３２ｂを有する。翼部３２ａと３２ｂの各々は、バックストップ３４ｂへと上る斜面３４ａを備えるロック機構３４を有する。取付部２は、例えばＰＶＣ、ウレタン、ペバックスなどの医療プラスチック材から作られており、これにより、翼部３２ａと３２ｂは所定の弾性を有する。そのため、翼部３２ａと３２ｂは、使用者につかまれ、互いに近づく方向に押されることができる。使用者がより簡単に翼部３２ａと３２ｂをつかみ、そして取付部２をより上手に操作できるように、図１に示されるへこみ３６を翼部の端部に設けてもよい。
【００３５】
図１に最も良く示されるように、取付部２は、点滴ライン６を基部ポートに接続するために、その基端１２に基部ポートを有しており、そのため、点滴液を取付部２の中へ流すことができる。なお、末部ポートに接続されている多内腔熱交換器管８は図示されているが、取付部２の末部１４は図示されていない。熱交換器は、図１に示されるように、前記の米国特許第４、７５９、７４９号に開示されたものでもよく、又は参照により本出願に組み込まれる前述の代理人整理番号０１０７／００５９の同時継続中の出願に開示された多内腔熱交換器でもよい。
【００３６】
取付部２は、その入口と出口が熱交換器における１つの内腔と他の内腔にそれぞれ接続されるように構成される。前述の代理人整理番号０１０７／００５９の出願において説明されるように、取付部２から遠方の熱交換器の端部において入口内腔と出口内腔が流体移動可能になるように接続されており、そのため、取付部２の入口に入った流体は取付部２を通過して熱交換器の入口内腔へと流れ、そして熱交換器の出口内腔によって、取付部２の出口まで戻る。
【００３７】
さらに、取付部２は、図１に符号４０で示される点滴ポートを有するように構成され、それは、点滴ライン６を熱交換器８の点滴内腔に流体移動可能に相互接続する。前述の代理人整理番号０１０７／００５９の出願において説明されるように、取付部２に入った点滴液は、患者に供給されるために、熱交換器８へと流れ、そこから点滴液は患者側ラインへと流れる。
【００３８】
台部４は、図示しない加熱器又は熱交換器に取り付けられており、背壁４２から延びており、かつ、溝（groove）４６が形成されている上部４４を有する。溝（groove）４６は、取付部２の細長な本体１０を収容する寸法になっている溝（channel）４８と直交する。図４Ａと４Ｂの実施形態において、より明確に示されるように、台部４はさらに流入ポートと流出ポートを有し、取付部の本体１０が溝（channel）４８にしっかりと結合され、そして横棒の腕１６ａと１６ｂが台部４の溝（groove）４６に収容されているときに、取付部２の出口と入口が台部４の流入ポートと流出ポートにそれぞれ接続する。
【００３９】
台部４の背壁４２から延びている２つの側壁５０ａと５０ｂがある。側壁５０ａと５０ｂは、床又は、内側に向かってＵ字形状の切欠を有するベース５２に接続する。取付部２が台部４に結合されているときに、ベース５２に設けられた内側に向かってＵ字形状の切欠により、台部４が本体１０の末端に接続された熱交換器８を収容される。取付部２が台部４にしっかりと結合されているときに、翼部３２ａと３２ｂの底縁はベース５２に載っている。
【００４０】
図示されるように、側壁５０ａと５０ｂの各々は、取付部２の翼部３２の対応する１つと傾斜突起３４とが協働するロック機構を有する。図１に示される例として、これらのロック機構は側壁５０ａと５０ｂにおける穴５４ａと５４ｂの各々となる。
【００４１】
使用において、後述する実施形態に関する図６、図７Ａ、及び図７Ｂに示されるように、取付部２は、溝（groove）４６に接触支持される腕１６ａと１６ｂとともに、台部４に対して角度θで傾斜されており、これにより、軸旋回支点が、台部４に対する取付部２に規定される。腕１６ａと１６ｂが溝（groove）４６に正しくはめ込まれた後、取付部２の細長な本体１０は、図７Ａに示される位置に軸旋回させることができ、それで、その入口１８と出口２０は、台部４の流出ポートと流入ポートにそれぞれ接続される。翼部３２ａと３２ｂがプラスチック製であり、所定の柔軟性を有する場合、本体１０が台部４に向かって軸旋回移動すると、翼部における傾斜突起３４が、側壁５０ａと５０ｂに接触し、かつ、突起３４の頂点が側壁５０ａと５０ｂの所定部分を通過して、穴５４ａと５４ｂにそれぞれ入るまで偏らされる。翼部３２ａと３２ｂは元の位置に戻るときに、取付部２を台部４にしっかりと保持される。
【００４２】
取付部２を台部４から外す際、使用者は、突起３４が穴５４ａと５４ｂを外すように、翼部３２ａと３２ｂをつかんで、それらを互いに近づく方向に動かす。そのとき、台部４から外すために、逆軸旋回移動は、取付部２に対して行われてもよい。取付部２が台部４にしっかりと固定し、入口と出口が台部の流出ポートと流入ポートにそれぞれ接続しているとき、腕１６ａと１６ｂは溝（groove）４６にしっかりと支持されている。それに加えて、ベース５２に載っている翼部３２ａと３２ｂの底縁が、使用者が故意に翼部３２ａと３２ｂを互いに近づく方向に動かし、突起３４を穴５４ａと５４ｂに対して外そうとしない限り、取付部２は台部４にしっかりと結合され、外れることはない。取付部２が台部４に結合されている場合、入口１８と出口２０にはめ込まれたエラストマー製のガスケット２４と２６は、入口１８と台部４の流出ポートとの間、並びに出口２０と台部４の流入ポートとの間で流体の漏れがないことを保証する。さらに、ガスケット２４と２６は、取付部２が台部４に対して外そうとするときに、入口１８と出口２０において流体の漏れがないことを保証し、ゆえに、ガスケット２４と２６（特にそれらのフラップ）は、流体を取付部２の中にとどめておくために、それらの自然な位置に戻り、点滴ライン６と多内腔管８を経て接続された使い捨て装置内の流体を漏れ出すことを防いでいる。したがって、入口と出口にはめ込まれたガスケットは、このような流体漏れにより引き起こされる流体漏れ及び潜在的な危険を回避する。本発明の譲受人により販売されているＨＯＴＬＩＮＥ流体加温器の検出機構と同様に、台部４に対する加熱器に設けているセンサ（図示しない）により、取付部２が台部４に適切に取り付けられているか否か、特に入口１８と出口２０が流体加熱器の流出ポートと流入ポートにそれぞれ完全に接続しているか否かを検出してもよい。
【００４３】
図４Ａと図４Ｂは、本発明の第２の実施形態のコネクタ組立品を示す。それは、先に説明した図１の実施形態とやや異なるように見えるが、この実施形態は、図１の実施形態と同様に、動作し、かつ、機能する。したがって、それらの実施形態は、第１図に関して説明した実施形態と同様に機能する構成要素には、同じ符号を付している。
【００４４】
また、図４の実施形態における取付部２は、横棒が延びている基部１２とともに、細長な本体１０を有している。本実施形態において、横棒は、図１の実施形態における腕１６ａと１６ｂの代わりに、符号１６により示されており、横棒１６は、本体１０からカンチレバー状に延びている。また、本体１０は、入口１８と出口２０が横棒１６の存在する側において突出している末部１４をも有する。図示されるように、入口１８と出口２０の各々には、ガスケットがはめ込まれており、そのうえ、これらのガスケットは、図５Ａの末部１４の拡大図に示される符号２８と３０などのゴム又はシリコーン製の多フラップ型円錐状ガスケットでもよい。また、図２に記述されているダックビルバルブ形状のフラップを有する円錐状ゴムガスケットが使用されてもよい。
【００４５】
さらに、取付部２は、入口１８と出口２０とは逆の方向に本体１０から延びている、１対の翼部３２ａと３２ｂを有する。翼部３２の各々には、突起３４（翼部３２ｂにおける突起３４のみが図示されている）の形をしたロック機構が設けられている。図４Ａの実施形態では、点滴ライン６と熱交換器８は、取付部２の基端と末端に設けられたポートにそれぞれ接続されていることが示されている。
【００４６】
図４Ａの実施形態における台部４は、溝（channel）４８に通じる湾曲前面４ａを有する。また、溝（channel）４８に直交し、横棒１６を受け入れる寸法になっている水平溝（groove）４６が設けられている。台部４の背壁に、取付部２の入口１８と出口２０にそれぞれ接続可能である流出ポート５６と流入ポート５８が設けられている。さらに、台部４には、２つの側壁５０ａと５０ｂが設けられている。取付部２が台部４に結合されているときに、側壁の各々は、取付部２の翼部３２ａと３２ｂの対応する１つに隣接するような寸法になっている。側壁５０ａと５０ｂの各々で翼部の対応する１つと突起３４とが協働するように、穴５４（側壁５０ｂにおける穴５４のみが図示されている）の形をした第２のロック機構が設けられている。台部４で内側に向かってＵ字状のベース５２は、翼部３２ａと３２ｂのそれぞれの底縁を支持している。
【００４７】
図４Ｂに示されるように、台部４との結合状態になるために、取付部２は矢印６０で示される方向に可動である。取付部２が正しく台部４に結合するとき、入口１８と出口２０は台部４の流出ポート５６と流入ポート５８にそれぞれ接続する。このとき、翼部３２ａと３２ｂにおける突起３４が側壁５０ａと５０ｂの穴５４にかみ合わせ、これにより、取付部２を台部４にしっかりと保持される。
【００４８】
図５Ａは、ゴム又はシリコーン製の多フラップ型円錐状ガスケット２８と３０がはめ込まれている取付部２における入口１４と出口２０の拡大図である。図５Ｂに示されるように、入口１８と出口２０が台部４の流出ポート５６と流入ポート５８にそれぞれ接続し、加熱器（図示せず）からの加熱された流体が取付部２の中へと流れている場合、ガスケット２８のバルブのフラップ２８ａは、流体は取付部２の中へ入るように入口１８の内部に向かって内側に向いているが、一方で、ガスケット３０のバルブのフラップ３０ａは、取付部内の流体は台部４の流入ポートに返送されるように、出口２０から離れる方向に向いていることが示されている。したがって、加熱器で加熱された流体は、点滴ライン６から流入する点滴液を温めるために、取付部２を通過しており、言うまでもなく、上記で説明した熱交換器の内腔を経て循環している。台部４を構成の１部としてもよい加熱器あるいは熱交換器は、商標名Ｌｅｖｅｌ１(登録商標)Ｈ−１２００として本出願の譲受人により販売されている高速流・流体加熱器でもよいし、あるいは本出願の譲受人のＨＯＴＬＩＮＥ又は他の同様な流体加温器でもよい。
【００４９】
図６は、台部４に対する取付部２の初期位置を示す。図示されるように、横棒１６が溝（groove）４６に収容され、取付部２の本体１０が台部４に対して角度θを成している。横棒１６と溝（groove）４６が軸旋回支点を形成し、取付部２が台部４に対して図７Ａに示される位置へと容易に軸旋回して移動できるようになっており、その際、その入口及び出口が、台部４の流出ポートと流入ポートにそれぞれ接続する。これは、流出ポート５６に接続している入口１８の部分断面拡大図である図７Ｂによりはっきりと示されている。このように、接続すると、フラップ２８ａに関する図７Ｂに示されるように、ガスケット２８と３０のフラップ２８ａと３０ａが後側に押され、そのため、流出ポート５６と入口１８の間、並びに流入ポート５８と出口２０の間に、各自の通り抜けられる流体経路が形成される。
【００５０】
取付部２を台部４から外す際、使用者が翼部３２ａと３２ｂを互いに近づく方向に押し込み、翼部における突起３４が台部４の側壁５０の穴５４に対して外すように、逆の軸旋回運動を行う。取付部２の本体１０が台部４に対して非結合になると、横棒１６を溝（groove）４６から取ることができる。
【００５１】
本発明の他の実施形態における取付部が、図８−図１１に示されている。また、バルブガスケットが取付部の入口及び出口に取り付けられている別な方法が、それらに示されている。図１０及び図１１に示される取付部の構成要素の大部分は、図４Ａと図４Ｂに示されるものと機能的に同じである限り、この他の実施形態における取付部のこのような同じ構成要素には同じ符号を付す。
【００５２】
図８は、ケーシング背部から内部に形成された２つの穴又は通路６４及び６６とともに、図８の形状の構成であるカートリッジ又はケーシング６２を示す。図９に最も良く示されるように、ケーシングの前壁又は前面６８は、ケーシング背部における穴６４と６６の開口よりも小さい開口７０と７２を有する。図９に示されるように、２つのバルブガスケット７４と７６は、ケーシング６２内に取り付けられているときに、それぞれ穴６４と６６内にはり込んでいる。ケーシング６２の前壁における開口７０と７２がバルブガスケット７４と７６のフランジ７４ｄと７６ｄよりも小径の場合で、それらが完全に穴６４と６６内に収められているときには、ケーシング６２の前壁によりバルブガスケット７４と７６のそれぞれは動けないようになっている。
【００５３】
図８に示されているバルブガスケット７４と７６は、図５Ａと図５Ｂのバルブガスケット２８と３０と同様の構成である。バルブガスケット２８と３０と同様に、バルブガスケット７４と７６は、シリコーン、ゴム、あるいは他のエラストマー材から作られている。多フラップを有する代わりに、バルブガスケット７４と７６の各々は、ガスケットベース部においてスリット７４ａ又は７６ａを有する。バルブガスケット７４と７６は同一構成であるので、以下に、バルブガスケット７６についてのみ詳細に説明する。ダックビル型や多フラップ型のバルブガスケットをカートリッジケーシング６２と共に使用してもよいのだが、説明を簡単にするために、以下では、図示の単一スリット型バルブガスケットについて説明する。
【００５４】
図示されるように、カップ形状のガスケット７６は、取付部が結合されているときに（図７Ａ）、台部４の流出ポート５６により押されて開くようになっているスリット７６ａとともに、閉端７６ｃを有する基部を備える。同様に、ガスケット７４のスリット７４ａは、台部４の流入ポート５８により押されて開くようになっている。ガスケット７６の基部は、さらに、閉端７６ｃからガスケット７６の開端における周縁フランジ７６ｄまで延びている周壁７６ｂを有する。ケーシング６２が取付部２の入口１８と出口２０にはめられたときに、ケーシング６２の穴６６へ封止は合するようにフランジ７６ｄの寸法が定められている同時に、入口１８の穴１８ａ（図１０）へ封止嵌合するようにガスケット７６の周壁７６ｂの寸法が定められる。ガスケット７６の基部が完全に穴１８ａ内に挿入されると、フランジ７６ｄの背壁７６ｅが、入口１８に対するしっかりとしたシールを形成するために、入口１８の縁１８ｂに収容する。ガスケット７４の周壁７４ｂが出口２０の穴２０ａに嵌合挿入されると、同様に、ガスケット７４の背壁７４ｅが出口２０の縁２０ｂに収容し、図１１の組み付けられた取付部２に示されるように、ケーシング６２が取付部に組み付けられている場合、フランジ７４ｄがケーシング６２の穴６４に封止嵌合する。取付部２の入口と出口に完全に組み付けた後、ケーシング６２は、超音波又は溶剤により取付部２に接合され、これにより、ケーシング６２は取付部２に固定的に保持されて、外れることがない。
【００５５】
図１０は、ケーシング６２の穴の中に既に組み入れられているガスケット７４と７６とともに、ケーシング６２は取付部２の入口１８と出口２０に位置整合しているケーシング６２を示す分解図である。ケーシング６２は取付部２に完全に組み入れられた場合、取付部２が台部４に結合されていても（図４に示されるように）あるいは取付部２が台部４に結合されていなくても、流体漏れを防ぐシールが取付部２の入口１８と出口２０に形成される。取付部２が台部４に結合されていないときに、バルブガスケット７４と７６は取付部２からの流体漏れを防ぎ、また、入口１８と出口２０が流出ポート５６（図７Ｂ）と流入ポート５８にそれぞれ接続し、流体が取付部２と台部４の間で行き来しているときに、バルブガスケット７４と７６はあらゆる流体漏れを防ぐ。
【００５６】
図１０と図１１に示す取付部２の他の実施形態において、バルブガスケットをケーシング６２内に配置し、単一部材のケーシング６２を取付部２の入口と出口に組み入れることにより、簡単で効率的な組付け処理が実現される。また、単一部材のケーシング６２を使用することにより、取付部２が台部４に結合されているか否かに関係なく、バルブガスケットが取付部の入口と出口に保持されることが保証される。本質的に、ケーシング６２は、バルブガスケットを取付部の入口と出口に対して正しい位置に保つ働きをし、これにより、取付部２は、台部を結合したり、台部から取り外したりすることが容易にできる。前述したように、ケーシング６２は取付部２と同じ材料で作られてもよい。例えば、取付部とケーシングの両方は、ＰＶＣ又は他の同じようなプラスチック材で作られてもよい。
【００５７】
図８に示される単一のカートリッジケーシング６２に代わり、バルブガスケットの各々は、入口／出口への取付用のキャップ又はカートリッジケーシングのそれぞれの中に組み付けられてもよい。キャップの各々は、バルブガスケットのそれぞれを取付部２の入口と出口に固定的に保持するように、入口／出口に溶接、又は、超音波で接続してもよい。
【００５８】
本発明には多くの変形例、部分的変更例、及び細部にわたっての変更例が存在するのであり、本明細書で述べられた全ての事項及び添付図に示された全ての事項は、説明のためだけのものであり、本発明の範囲を限定するものではない。本発明の範囲は、添付請求項の主旨と範囲によってのみ限定され得る。
【図１】
2012520729.tif 000003
【図２】
2012520729.tif 000004
【図３】
2012520729.tif 000005
【図４Ａ】
2012520729.tif 000006
【図４Ｂ】
2012520729.tif 000007
【図５Ａ】
2012520729.tif 000008
【図５Ｂ】
2012520729.tif 000009
【図６】
2012520729.tif 000010
【図７Ａ】
2012520729.tif 000011
【図７Ｂ】
2012520729.tif 000012
【図８】
2012520729.tif 000013
【図９】
2012520729.tif 000014
【図１０】
2012520729.tif 000015
【図１１】
2012520729.tif 000016
【国際調査報告】
2012520729.tif 000017
2012520729.tif 000018